(57)【要約】【課題】  住宅基礎の立ち上り部のレベル精度出しを容易に行うことができると同時に、該基礎の強度を高めることができる住宅基礎の施工法を提供する。【解決手段】  レベルコンクリート１にアンカー２を設置する工程と、レベルコンクリート１の上にベース部３を形成する工程と、該ベース部３のコンクリートがある程度硬化してから基礎立ち上り部５にコンクリートを打ち込む工程と、該基礎立ち上り部５のコンクリート天端面に、上記アンカー２の上端部を通す穴８が開設された根太７を設置する工程と、上記アンカー７に通された根太７の水平を調整しながら固定する工程と、を有して構成されてなる住宅基礎の施工法。【選択図】      図１
2007239338.tif 000002
【特許請求の範囲】
【請求項１】
レベルコンクリートにアンカーを設置する工程と、
レベルコンクリートの上にベース部を形成する工程と、
該ベース部のコンクリートがある程度硬化してから基礎立ち上り部にコンクリートを打ち込む工程と、
該基礎立ち上り部のコンクリート天端面に、上記アンカーの上端部を通す穴が開設された押圧体を設置する工程と、
上記アンカーに通された押圧体の水平を調整しながら固定する工程と、
を有して構成されてなる住宅基礎の施工法。
【請求項２】
前記押圧体は、根太であることを特徴とする請求項１に記載の住宅基礎の施工法。
【請求項３】
上記押圧体は、少なくとも３箇所以上をナットで緊締して押圧されることを特徴とする請求項１または請求項２のいずれかに記載の住宅基礎の施工法。
【発明の詳細な説明】
【技術分野】
【０００１】
この発明は、住宅基礎の立ち上り部のレベル精度出しを容易に行うことができると同時に、該基礎の強度を高めることができる住宅基礎の施工法に関する。
【背景技術】
【０００２】
住宅基礎の立ち上り部は、コンクリートが収縮するため、レベル精度を出すのが難しく、また、従来のレベル精度出しは、例えば、特許文献１に示すように、水平レベル測定器を用いて行うため熟練性を要し、また、施工法によってはコンクリート内に気泡が封入され易いため、密度を高めることが難しくひび割れが発生し易い、という問題を有していた。
【０００３】
【特許文献１】特開２００１−２０７４５８号公報
【発明の開示】
【発明が解決しようとする課題】
【０００４】
この発明は、かかる現状に鑑み創案されたものであって、その目的とするところは、住宅基礎の立ち上り部のレベル精度出しを容易に行うことができると同時に、該基礎の強度を高めることができる住宅基礎の施工法を提供しようとするものである。
【課題を解決するための手段】
【０００５】
上記目的を達成するため、請求項１の発明は、レベルコンクリートにアンカーを設置する工程と、レベルコンクリートの上にベース部を形成する工程と、該ベース部のコンクリートがある程度硬化してから基礎立ち上り部にコンクリートを打ち込む工程と、該基礎立ち上り部のコンクリート天端面に、上記アンカーの上端部を通す穴が開設された押圧体を設置する工程と、上記アンカーに通された押圧体の水平を調整しながら固定する工程と、を有して構成されてなる住宅基礎の施工法を特徴とする。
【０００６】
また、請求項２に記載の発明は、請求項１に記載の住宅基礎の施工法を技術的前提とし、前記押圧体は、根太であることを特徴とする。
【０００７】
さらに、請求項３に記載の発明は、請求項１または請求項２のいずれかに記載の住宅基礎の施工法を技術的前提とし、上記押圧体は、少なくとも３箇所以上をナットで緊締して押圧されることを特徴とする。
【発明の効果】
【０００８】
請求項１の発明によれば、以上説明したように構成したので、立ち上り部のコンクリート表面は、押圧体により押圧されるので、気泡が減少して緻密な状態に仕上げることができ、その結果、基礎コンクリートの耐久性を向上させることができ、しかも、押圧体による加圧力を調整しながらコンクリートを硬化させることができるので、熟練性を必要とせずにレベル精度を高めることができ、また、従来の施工法では、これらの作業に数日を要したが、本発明によればこれらの作業を１日で行うことができるので、工期を大幅に短縮することができ、コストも大幅に低減することができる。
【０００９】
そして、請求項１に記載の発明にあっては、コンクリートを圧縮成型しているので、押圧体の加圧によって搾り出した水に相当する体積分の圧縮強度の向上と、乾燥収縮によるひび割れの発生を有効に防止することができる。
【００１０】
次に、請求項２に記載の発明にあっては、押圧体を根太とすることで、従来の工法と同じ材料を用いることができ、コスト増加を防止することができる。
【００１１】
そして、請求項３に記載の発明によれば、３箇所以上をナットで水平調整しながら緊締すると、立ち上り部のコンクリートには圧縮力が作用するため、立ち上り部の型枠の端部から余剰の水が絞り出され、コンクリートの密度を簡易な方法で高めることができる。また、同時に、上記余剰の水が絞り出されるときにコンクリート中の空気を押し出すことができる。
【発明を実施するための最良の形態】
【００１２】
以下、本発明の実施例を図面に基づいて説明する。
【００１３】
図１は、この発明の実施例を示しており、図中符号１はレベルコンクリートを、符号２はアンカーを、符号３はベース部を、符号４はベース部３の型枠を、符号５はベース部３の上に連設される立ち上り部を、符号６は立ち上り部５の型枠を、符号７はアンカー挿通用の穴８が複数開設された押圧体である根太を、符号９はアンカー２の上端部に形成されたねじ部に螺装されたナットを、夫々示している。尚、押圧体は、上記根太７に限定されるものではなく、本発明では、ＦＲＰ等の硬質プラスチック板や鋼板等の金属板を用いることもできる。また、押圧体は、立ち上が部５の型枠６，６間よりも若干小さく形成されており、この型枠６，６と押圧体との間に形成された間隙部から余剰の水が絞り出され、かつ、コンクリート内の空気が押し出されるように構成される。
【００１４】
次に、上記部材を用いて住宅基礎の施工手順例を説明すると、先ず、レベルコンクリート１にアンカー２の下端部を設置する。このとき、アンカー２の下端部はＬ字状に折曲すると共に、ワイヤー（三脚）１０，１０，１０を利用して立設する。このようにして、所要毎に複数本、好ましくは３本以上のアンカー２をレベルコンクリート１に立設する。
【００１５】
次に、アンカー２が立設されたレベルコンクリートの上にベース部用の型枠４をアンカー２が中央に位置するように立設する。この型枠４の立設手順及び型枠４の構成は、公知であるので、その詳細な説明をここでは省略する。
【００１６】
このようにして型枠４が立設された中にコンクリートを打ち込みベース部３を形成する。
【００１７】
そして、このベース部３のコンクリートがある程度硬化（完全には固化していない状態）してから、該ベース部３の上に立ち上り部用の型枠６を、アンカー４が中央に位置するように立設する。この型枠６の立設手順及び型枠６の構成は、公知であるので、その詳細な説明をここでは省略する。
【００１８】
次に、この基礎立ち上り部６にコンクリートを打ち込んだ後、該基礎立ち上り部６のコンクリート天端面に、上記アンカー２の上端部を通す穴８が開設された根太７を乗せ、上記アンカー２に通された根太７の水平を調整しながらナット９を緊締する。
【００１９】
この実施例に係る住宅基礎の施工法にあっては、以上説明したように、立ち上り部５のコンクリート表面は、根太７により押圧されるので、気泡が減少して緻密な状態に仕上げることができ、その結果、基礎コンクリートの耐久性を向上させることができる。
【００２０】
しかも、根太７による加圧力を調整しながらコンクリートを硬化させることができるので、熟練性を必要とせずにレベル精度を高めることができ、また、従来の施工法では、これらの作業に数日を要したが、この実施例によればこれらの作業を１日で行うことができるので、工期を大幅に短縮することができ、コストも大幅に低減することができる。
【００２１】
また、この実施例によれば、コンクリートを圧縮成型しているので、根太７の加圧によって搾り出した水に相当する体積分の圧縮強度の向上と、乾燥収縮によるひび割れの発生を有効に防止することができる。
【００２２】
さらに、この実施例によれば、３箇所以上をナットで水平調整しながら緊締することで、立ち上り部５のコンクリートには圧縮力が作用するため、立ち上り部５の型枠６の端部から余剰の水が絞り出され、コンクリートの密度を簡易な方法で高めることができる。また、同時に、上記余剰の水が絞り出されるときにコンクリート中の空気を押し出すことができる。
【図面の簡単な説明】
【００２３】
【図１】この発明の一実施例に係る住宅基礎の施工法を施して住宅基礎を生成する状態を示す説明図である。
【符号の説明】
【００２４】
１  レベルコンクリート
２  アンカー
３  ベース部
５  立ち上がり部
７  根太（押圧体）
８  アンカー挿通穴
９  ナット
【図１】
2007239338.tif 000003